(57)【特許請求の範囲】
【請求項１】
モバイルノード（１２）のための装置（５８）であって、該モバイルノード（１２）は、ＩＤモジュールカードを有しており、該モバイルノード（１２）と少なくとも第１のサービスセンター（４４）との間の呼接続を形成するために呼を該少なくとも第１のサービスセンター（４４）に発信するように動作可能であり、該装置（５８）は、該少なくとも第１のサービスセンター（４４）のうちの選択された１つのサービスセンターへの該呼のルーティングを容易にし、該装置は、
複数の第１の値を格納するように該ＩＤモジュールカードにおいて構成されている第１のＩＤモジュールカード記憶素子（７８）であって、該複数の第１の値は、該第１のＩＤモジュールカード記憶素子に格納され、少なくとも該第１のサービスセンターを識別し、該複数の第１の値のうちの選択された１つの第１の値は、該少なくとも第１のサービスセンターのうちの該選択された１つのサービスセンターへの該呼の発信を開始する場合に該モバイルノード（１２）において入力可能である、第１のＩＤモジュールカード記憶素子（７８）と、
ホームネットワークでないネットワークへの登録プロセスの完了の際に、該モバイルノードにダウンロードされた複数の第２の値を格納するように該ＩＤモジュールカードにおいて構成されている第２のＩＤモジュールカード記憶素子（８２）であって、該複数の第２の値は、該登録プロセスの完了後に、該モバイルノードに送信されたショートメッセージサービス「ＳＭＳ」メッセージ内にカプセル化されて該モバイルノードにダウンロードされ、該複数の第２の値は、該モバイルノードの該ホームネットワーク外の選択された第１のサービスセンターと通信するために該モバイルノードによって使用され、端末応答は、該複数の第２の値の格納に続いて該モバイルノードから提供される、第２のＩＤモジュールカード記憶素子（８２）と、
該呼の発信を開始するために用いられる場合に該複数の第１の値のうちの該選択された１つの第１の値を該複数の第２の値のうちの対応する１つの第２の値にインデックスするように構成されているインデクサ（６４）と
を備える、装置（５８）。
【請求項２】
前記モバイルノード（１２）は、送信部を備え、前記インデクサ（６４）は、前記第１のサービスセンター（４４）のうちの前記選択された１つのサービスセンターへの前記呼の発信に従って、前記複数の第２の値のうちの前記対応する１つの第２の値の指示を該送信部に提供するようにさらに構成されている、請求項１に記載の装置（５８）。
【請求項３】
前記第２のＩＤモジュールカード記憶素子（８２）は、前記複数の第２の値の更新を可能にするように構成されている更新可能な記憶素子を含む、請求項１に記載の装置（５８）。
【請求項４】
前記少なくとも第１のサービスセンターは、第１のネットワーク部分（１８）と少なくとも第２のネットワーク部分（２２）とを含んでいる通信ネットワークに接続されており、該第１のネットワーク部分（１８）は、前記複数の第２の値の第１のセットを用いるように構成されており、該第２のネットワーク部分（２２）は、該複数の第２の値の第２のセットを用いるように構成されており、前記モバイルノード（１２）が該第１のネットワーク部分（１８）と関連する場合、前記第２のＩＤモジュールカード記憶素子（８２）において格納されている該複数の第２の値は、該第１のセットから形成され、該モバイルノード（１２）が該第２のネットワーク部分（２２）と関連する場合、該第２のＩＤモジュールカード記憶素子（８２）において格納されている該複数の第２の値は、該第２のセットから形成される、請求項３に記載の装置（５８）。
【請求項５】
前記第１のネットワーク部分（１８）は、第１のカバーエリアを規定し、前記少なくとも第２のネットワーク部分（２２）は、少なくとも第２のカバーエリアを規定し、前記モバイルノード（１２）は、該第１のネットワーク部分（１８）と該少なくとも第２のネットワーク部分（２２）とのうちの選択された１つのネットワーク部分であって、該モバイルノード（１２）が配置されているのが該第１のカバーエリアと該少なくとも第２のカバーエリアとのうちのいずれかであるかに対応するネットワーク部分に登録し、前記第２のＩＤモジュールカード記憶素子（８２）において格納された該複数の第２の値は、該モバイルノード（１２）の登録に従って該モバイルノードに提供される、請求項４に記載の装置（５８）。
【請求項６】
前記通信ネットワークは、ショートメッセージサービスのメッセージングを提供するように構成されており、前記第２のＩＤモジュールカード記憶素子において格納された前記複数の第２の値は、ショートメッセージサービスメッセージの一部として前記モバイルノードに提供される、請求項５に記載の装置（５８）。
【請求項７】
前記ショートメッセージサービスは、エンベロープコマンドメッセージを規定し、前記複数の第２の値を前記第２のＩＤモジュールカード記憶素子に提供するために用いられる前記ショートメッセージサービスメッセージは、エンベロープコマンドメッセージを含む、請求項６に記載の装置（５８）。
【請求項８】
前記第１のネットワーク部分（１８）は、前記モバイルノードが関連しているホームネットワークを規定し、前記第２のＩＤモジュールカード記憶素子において格納されている前記複数の第２の値は、該モバイルノード（１２）が前記第１のカバーエリア内に配置されている場合において前記第１のＩＤモジュールカード記憶素子（７８）において格納されている前記複数の第１の値と実質的に同一である、請求項５に記載の装置（５８）。
【請求項９】
前記モバイルノード（１２）は、前記第１のカバーエリアおよび前記少なくとも第２のカバーエリアのうちのいずれかの間を通過する場合において前記ネットワーク部分に登録し、前記複数の第２の値のうちの新しい値は、該モバイルノード（１２）がネットワーク部分に登録する度に、前記第２のＩＤモジュールカード記憶素子（８２）において格納される、請求項８に記載の装置（５８）。
【請求項１０】
前記ＩＤモジュールカードは、該ＩＤモジュールカードと少なくとも着脱可能なように係合可能なＲ−ＵＩＭメモリカードを備え、前記第１のＩＤモジュールカード記憶素子（７８）および前記第２のＩＤモジュールカード記憶素子（８２）は、該メモリカードにおいて具体化されている、請求項１に記載の装置（５８）。
【請求項１１】
前記第１のＩＤモジュールカード記憶素子（７８）および前記第２のＩＤモジュールカード記憶素子（８２）が具体化されている前記ＩＤモジュールカードは、加入者ＩＤモジュールカードを含む、請求項１に記載の装置（５８）。
【請求項１２】
前記第１のＩＤモジュールカード記憶素子（７８）および前記第２のＩＤモジュールカード記憶素子（８２）が具体化されている前記ＩＤモジュールカードは、リムーバブルユーザＩＤモバイルカードを含む、請求項１に記載の装置（５８）。
【請求項１３】
前記インデクサ（６４）は、前記呼の発信の開始の指示を受信するようにさらに適合されており、該インデクサ（６４）は、該指示に応答して、前記複数の第１の値のうちの前記選択された１つの第１の値を前記複数の第２の値のうちの前記対応する１つの第２の値にインデックするように動作する、請求項１に記載の装置（５８）。
【請求項１４】
前記モバイルノード（１２）は、ユーザインターフェース（４８）を備え、ユーザは、該ユーザインターフェース（４８）を介して前記呼の発信を開始し、前記インデクサ（６４）は、該ユーザインターフェース（４８）に結合されている、請求項１３に記載の装置（５８）。
【請求項１５】
モバイルノード（１２）と通信する方法であって、該モバイルノード（１２）は、ＩＤモジュールカード（６６）を有しており、少なくとも第１のサービスセンターとの呼接続を形成するために呼を発信するように動作可能であり、該方法は、該少なくとも第１のサービスセンターのうちの選択された１つのサービスセンターへの該呼のルーティングを容易にし、該方法は、
複数の第１の値を該ＩＤモジュールカード（６６）において格納することであって、該複数の第１の値は、該ＩＤモジュールカードに格納され、該モバイルノードが通常登録されているホームネットワーク内の該第１のサービスセンターを少なくとも識別し、該複数の第１の値のうちの選択された１つの第１の値は、該少なくとも第１のサービスセンターのうちの該選択された１つのサービスセンターへの該呼の発信を開始する場合に入力可能である、ことと、
ホームネットワークではないネットワークへの登録プロセスの完了の際に、該モバイルノードにダウンロードされる複数の第２の値を該ＩＤモジュールカード（６６）において格納することであって、該複数の第２の値は、該登録プロセスの完了後に該モバイルノードに送信されるＳＭＳメッセージとして、該モバイルノードにダウンロードされ、該複数の第２の値は、該モバイルノードによって、該複数の第１の値のうちの対応する第１の値、および該モバイルノードの該ホームネットワーク外の選択された第１のサービスセンターと対応付けられ、端末応答は、該複数の第２の値の格納に応答して該モバイルノードから提供される、ことと、
該呼の発信の開始するために用いられる場合に該複数の第１の値のうちの該選択された１つの第１の値を該複数の第２の値のうちの対応する１つの第２の値にインデックスすることと
を包含する、方法。
【請求項１６】
前記モバイルノード（１２）は、送信部をさらに備え、前記方法は、前記インデックスする動作の間に前記複数の第１の値のうちの前記選択された１つの値にインデックスされた前記複数の第２の値のうちの前記対応する１つの第２の値を、該送信部から送信するために該送信部に提供する動作をさらに包含する、請求項１５に記載の方法。
【請求項１７】
前記複数の第２の値を格納する動作の間に格納された複数の第２の値は、無線通信システムのネットワーク部分への前記モバイルノード（１２）の登録の間に該モバイルノードに提供される、請求項１５に記載の方法。
【請求項１８】
通信ネットワークは、エンベロープコマンドメッセージを規定するショートメッセージサービスのメッセージングを提供し、前記方法は、前記複数の第２の値を格納する動作に先立ち、前記モバイルノード（１２）に該エンベロープコマンドメッセージを送信する動作をさらに包含し、該複数の第２の値は、該エンベロープコマンドメッセージに含まれている、請求項１５に記載の方法。
【請求項１９】
前記モバイルノード（１２）は、受信部と、前記複数の第２の値が前記格納する動作の間に格納される記憶素子とを備え、前記方法は、
該受信部において前記エンベロープコマンドメッセージを検出する動作と、
該エンベロープコマンドメッセージを該記憶素子（６６）に転送する動作と
をさらに包含する、請求項１８に記載の方法。
【請求項２０】
前記記憶素子における前記エンベロープコマンドメッセージに含まれる前記複数の第２の値の格納を承認する動作をさらに包含する、請求項１９に記載の方法。
【発明の詳細な説明】
【技術分野】
【０００１】
本発明は一般に、９−１−１または９−９−９のダイヤルコードなどの短縮ダイヤルコードによって識別可能であるサービスセンターになされた、モバイルノードのユーザによって発信された呼の呼接続の形成を容易にする方法に関する。より詳細には、本発明は、ユーザ入力のダイヤルの番号が、モバイルノードが登録されているネットワークにおいて、選択されたサービスセンターを識別するために用いられるダイヤル番号へと置き換えられることを可能にし、それによって、呼接続が、サービスセンターを用いて形成されることを可能にする、装置および関連方法に関する。
【背景技術】
【０００２】
現代社会の多くの局面において、情報を通信し、通信サービスを実施する現代の通信システムの使用が要求される。通信システムの多くの様々なタイプが開発されており、多くの異なるタイプの通信サービスの実施が可能となっている。科学的な発見および技術的な進歩によって、開発および配備される新たな通信システムのタイプが可能となっており、および引き続き可能となる。概して、新しい通信システムは、以前には利用することができなかった場所から、およびそれらの場所間において、より速いレートにて情報を通信することを可能にする。
【０００３】
多くの現代の通信システムの使用に適合されている進歩の中で、デジタル通信技術の進歩がある。デジタル通信技術の使用は様々な利点を提供するが、それは主に、デジタル通信技術が用いられる通信システムにおいて、改良された通信性能を提供する能力に関する。また、その情報は、一度デジタル化されれば、不連続な間隔の間においても通信することが可能である。
【０００４】
無線通信システムは通信システムの例示的なタイプである。情報は、電磁気スペクトルの一部として規定される無線通信チャネル上の無線通信システムの通信局間において通信される。多くの無線通信システムは、デジタル通信技術を利用し、動作可能な無線通信局間における通信を実施する。無線通信システムに関連する帯域幅の一定の制限のために、デジタル通信技術の使用は、無線通信システムにおける使用に適合する場合、特に有利である。
【０００５】
無線通信システムは、有線通信システムと対照的に、様々な利点を提供する。例えば、無線通信システムの初期設置および配備に関連する費用は、概して、有線通信システムを設置および配備するのに必要とされる費用よりも安い。また、無線通信システムは、モバイル通信システムとしてのインプリメンテーションに順応性がある。モバイル通信システムにおいて、一つ以上の通信局に通信の移動性が提供される。
【０００６】
セル式通信システムは無線通信システムの一タイプである。継続的に生成されているセル式通信システムのネットワークのインフラストラクチャは、世界中の人口の多い地域の主要な場所に設置されている。また、そのようなシステムは、高水準の使用を達成している。セル式通信システムによって実施され得る通信システムのタイプが増加し続ける一方で、セル式通信システムは、主要な部分においては、依然として、音声情報の電話による通信を実施するために用いられている。
【０００７】
電話通信は、典型的には、移動局の使用を介したセル式通信システムにおいて実施される。移動局は、携帯無線トランシーバであり、通常は、ユーザによって持ち運ばれることが可能である大きさである。ユーザは、通信システムを介し、移動局を経由して通信するためのアクセスを購入するか、または、システムへのアクセスを購入する。
【０００８】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）のセル式通信システムは、デジタル通信技術を利用するセル式通信システムの例である。ＧＳＭシステムは、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）によって広められている動作仕様に示される基準およびプロトコルに従って動作する。ＧＳＭシステムは、周波数分割多重アクセス（ＦＤＭＡ）および時分割多重アクセス（ＴＤＭＡ）通信スキームの組み合わせを利用する通信スキームを規定する。ＧＳＭシステムの動作仕様に従って動作可能なように構築されたネットワークが、多くのエリアに亘って設置されている。また、ＧＳＭシステムは、世界一ではないにしろ、優勢なセル式通信システムのうちの一つとなっている。ＩＳ−９５（Ｉｎｔｅｒｉｍ  Ｓｔａｎｄａｒｄ  ９５）セル式通信システムは別の例示的なセル式通信システムである。ＩＳ−９５システムはＣＤＭＡ（符号分割多重アクセス）通信システムを利用する。また、ＵＭＴＳ（ユニバーサル移動電話システム）システムの動作規格は開発が進められている。
【０００９】
ＧＳＭシステムにおいて動作可能である移動局および他の移動局は、通常、従来の電話局の動作を模倣して構成される。すなわち、移動局は、通常、従来の電話局が電話の呼を発信および終了するために利用される方法（少なくとも、ユーザの観点から）に対応する方法において、電話の呼を発信および終了するように動作可能である。
【００１０】
他所にてなされた呼は、呼接続の形成を介して、移動局において終了され、また、呼は、呼接続を経由して、他所での終了のために、移動局において発信される。呼に従い、移動局を用いて、シグナルが呼設定手順に従い、生成される。呼が移動局において終了される場合、ベル音などのアラートは、設定手順の一部としてモバイルノードにて生成される。アラートは、移動局への呼の設定をモバイルノードのユーザにアラートする。また、移動局のユーザは、アラートに応答した呼の許可によって呼接続の形成を許可する。その呼は、従来の有線デバイスのユーザが有線局をオフフックする方法と類似した方法において許可される。
【００１１】
呼が移動局において発信される場合、ユーザは、端末局、すなわち、呼がなされ、または終了されることが意図される被呼者を識別するダイヤル番号を入力することによって、呼の発信を開始する。ダイヤル番号の入力後、呼シグナル手順は呼を設定するために実行される。呼シグナル手順は一般に、ユーザには見えない。
【００１２】
短縮コードは時に、一部のエリアにおける所定の指定されたサービスセンターを識別するために用いられる。すなわち、短縮ダイヤルコードは、所定の指定されたサービスセンターを識別する。米国においては、例えば、一部のエリアは９−１−１コードの非常時のサービスセンターを有する。９−１−１コードは時に、非常時番号として参照される。緊急救援のための要求をする人は電話局にて９−１−１を入力する。その呼は適切な９−１−１サービスセンターへルートされる。９−１−１サービスセンターは、その呼への迅速な応答のための設備を提供する。しかし、他のエリアにおいては、９−１−１コードとは異なるコードが緊急時サービスセンターを識別するために用いられる。例えば、英国では、非常時サービスセンターは、９−９−９コードの入力を介して、電話局から、電話によってアクセスされる。
【００１３】
短縮ダイヤルコードは時に、他のサービスセンターを識別するために利用される。例えば、ディレクトリサービスセンターは、４−１−１コードの入力を介して、米国の一部のエリアにおいて電話によってアクセスされる。イギリスの一部においては、ディレクトリサービスセンターは１−９−２コードの入力を介して電話によってアクセスされる。また、同様に、オペレータの支援は、「０」のダイヤル番号の入力を介して、一部のエリアにおいて電話によってアクセスされる。一部の他のエリアにおいて、オペレータの援助は、短縮コード１−０−０の入力を介してアクセスされる。
【００１４】
モバイルノードのユーザは、概して、移動局のユーザが常にいるエリアにおける選択されたサービスセンターを識別する短縮ダイヤル番号を知っている。しかしながら、モバイルノード特有の移動性のために、そのモバイルノードは、そのユーザが常にいるエリアのダイヤル番号とは異なる、選択されたサービスセンターを識別するための異なるダイヤル番号を利用するエリアに配置され得る。例えば、モバイルノードのユーザは、非常時サービスセンターを識別するためのダイヤル番号９−１−１であることに慣れている。しかし、移動局と共にユーザは、例えば、９−９−９のダイヤルコードが非常時サービスセンターを識別するために用いられているなどの、他のダイヤル番号のエリアに位置され得る。移動局のユーザが意図する呼先のダイヤルコードが、その呼がなされた領域において用いられるダイヤルコードとは異なるサービスセンターに関連する場合、その呼は適切なサービスセンターへルートされない。
【発明の開示】
【発明が解決しようとする課題】
【００１５】
それゆえ、短縮ダイヤルコードによって識別されるサービスセンターへの移動局からの呼を提供するより良い方法が必要である。すなわち、移動局のユーザによって短縮ダイヤル番号の入力を介してアクセスされるサービスセンターが、その呼がサービスセンターになされる場合に、移動局の位置に関係なくアクセス可能であるように、移動局の移動性を考慮した方法が必要とされる。
【課題を解決するための手段】
【００１６】
本発明が展開する重要な改良は、無線通信システムを経由して、サービスセンターへの呼の呼位置に関連するこの背景技術情報を踏まえている。
【００１７】
本発明は、従って、９−１−１または９−９−９のダイヤルコードなどの短縮ダイヤルコードによって識別可能であるサービスセンターになされた、モバイルノードのユーザによって発信された呼の呼接続の形成を容易にする装置および関連方法を有利に提供する。
【００１８】
本発明の実施形態の動作を通じて、ユーザ入力のダイヤル番号を、選択されたサービスセンターを識別するために用いられるダイヤル番号に置き換えることを可能にする方法が提供される。
【００１９】
移動局がローミングするネットワークにおいて用いられる短縮ダイヤルコードが、呼をサービスセンターに発信するユーザによって通常用いられるダイヤルコードと異なっているとしても、呼接続は形成される。
【００２０】
本発明の一局面において、移動局が位置するエリアにおけるサービスセンターを識別する短縮ダイヤルコードは、ネットワークへの移動局の登録の後に、移動局へダウンロードされる。移動局が、新しい登録を必要とする別のエリアに入る場合、再び、短縮ダイヤルコードは、移動局にダウンロードされて、現在の短縮ダイヤルコードの値が、移動局において格納および保持されるようになる。
【００２１】
モバイルノードのユーザは、そのユーザが通常関連される短縮ダイヤルコードを知っている必要があるのみであるか、または、スピードダイヤル（ｓｐｅｅｄ−ｄｉａｌｉｎｇ）手順を経由するなどの、ダイヤル番号の入力を生じさせる必要がある。すなわち、そのユーザによって通常用いられるダイヤル番号が、サービスセンターへの呼の発信の開始の後、サービスセンターを識別するために引き続き用いられる。しかしながら、入力された番号は、必要であればモバイルノードにおいて、呼接続を形成することを許可する番号に、置き換えられる。
【００２２】
本発明の一局面において、ダウンロードされた短縮ダイヤルコードは、モバイルノードへダウンロードされ、モバイルノードの登録の間などの間に、モバイルノードにおいて格納される。その後、モバイルノードのユーザは、選択されたサービスセンターに呼の発信を開始する場合、ユーザによって入力された、または入力の生じたダイヤル番号は、モバイルノードにダウンロードされた対応する値と共にインデックスされる。その対応する値、すなわち、入力された値に対応する値は、入力されたダイヤル番号と置き換わり、その呼は、その代用のダイヤル番号によって識別されるコールセンターへなされる。すなわち、その入力されたダイヤル番号は、他のダイヤル番号に置き換えられ、呼の完了を許可する。
【００２３】
本発明の別の局面において、ダウンロードされたダイヤル番号は、モバイルノードへダウンロードされ、記憶素子において格納され、メモリコンテンツの更新を許可する。ＧＳＭ、または他のＳＩＭ（加入者ＩＤモジュール）カードを利用する類似したセル式通信システムにおいて、ダウンロードされた短縮ダイヤルコードはモバイルノードのＳＩＭカードにおいて格納される。サービスセンターへの呼が後に開始される場合、サービスへの呼の発信の開始に関連する入力されたダイヤル番号は、ＳＩＭカードにおいて格納された対応する値と共にインデックスされる。対応する値は入力された値と置き換えられ、その呼は、モバイルノードが位置するエリアに適切なダイヤル番号を用いるサービスセンターになされる。ＩＳ−９５、またはＲ−ＵＩＭを利用する他の類似したセル式通信システムにおいて、短縮ダイヤルコードは、モバイルノードのＲ−ＵＩＭ（リムーバブルユーザＩＤモジュール）カードに格納される。
【００２４】
一インプリメンテーションにおいて、ネットワークへのモバイルノードの登録に従い、ＳＭＳ（ショートメッセージサービス）メッセージがモバイルノードに送信される。ＳＭＳメッセージは、例えば、短縮ダイヤル番号が、モバイルノードが位置し、そこに含まれるサービスセンターを識別するために用いられる、エンベロープコマンドメッセージの形態である。モバイルノードの受信部にて受信される場合、ＳＭＳメッセージは、ＳＩＭカードに転送され、その含まれた値はＳＩＭカードにおいて格納される。モバイルノードが後に再登録する場合、別のＳＭＳメッセージがモバイルノードにダウンロードされ、そのダイヤルコードの更新された値は、ＳＩＭカードにおける既存のダイヤルコードの上に格納される。
【００２５】
それによって、モバイルノードのユーザは、ユーザが既知の短縮ダイヤルコードを用いて選択されたサービスセンターへの呼を発信することができる。モバイルノードが位置するエリアにおいて用いられる短縮ダイヤル番号の置き換えは、適切なサービスセンターへの呼接続を可能にするように実行される。呼接続の遅延または呼接続の形成の失敗は、本発明の実施形態の動作を通じて生じることは殆どない。
【００２６】
それゆえ、これらおよび他の局面において、通信ネットワークのネットワーク部分と通信するために、ユーザによって動作可能であるモバイルノードを有する無線通信システムのための装置および関連方法が提供される。少なくとも第１のサービスセンターはそのネットワーク部分に結合される。モバイルノードにおいてユーザによって発信される呼は、呼接続を形成するために、少なくとも第１のサービスセンターのうちの選択されたものに対して選択可能なようにルーティングできる。少なくとも第１のサービスセンターのうちの選択されたものへの呼のルーティングは容易にされる。第１の記憶素子は、少なくとも第１のサービスセンターを識別する第１の値を格納する。第１の値のうちの選択されたものは、少なくとも第１のサービスセンターのうちの選択されたものへの呼の発信を開始する場合、モバイルノードのユーザによって用いられる。第２の記憶素子は、少なくとも第１のサービスセンターを識別する第２の値を格納する。第２の値は、モバイルノードが現在登録されている通信ネットワークのネットワーク部分において用いられる。インデクサは、第１の記憶素子および第２の記憶素子に結合される。インデクサは、呼の発信を開始するためにユーザによって用いられる場合、第１の値のうちの選択されたものを第２の値のうちの対応するものへとインデックスする。
【００２７】
本発明はさらに、以下の手段を提供する。
【００２８】
（項目１）
モバイルノード（１２）のための装置（５８）であって、該モバイルノード（１２）は、ＩＤモジュールカードを有しており、呼接続を形成するために、呼を少なくとも第１のサービスセンター（４４）に発信するように動作可能であり、該装置（５８）は、該少なくとも第１のサービスセンター（４４）のうちの選択されたサービスセンターへの該呼のルーティングを容易にし、該装置は、
少なくとも該第１のサービスセンターを識別する第１の値を格納するように該ＩＤモジュールカードにおいて構成されている第１のＩＤモジュールカード記憶素子（７８）であって、該第１の値のうちの選択された値は、該少なくとも第１のサービスセンターのうちの選択されたサービスセンターへの該呼の発信を開始する場合に該モバイルノード（１２）において入力される、第１のＩＤモジュールカード記憶素子（７８）と、
該モバイルノード（１２）が現在登録されている通信ネットワーク（１８）のネットワーク部分において用いられる第２の値を格納するように該ＩＤモジュールカードにおいて構成されている、第２のＩＤモジュールカード記憶素子（８２）と、
該呼の発信を開始するために用いられる場合に該第１の値のうちの該選択された値を該第２の値の対応する値にインデックスするように構成されているインデクサ（６４）と
を備える、装置（５８）。
【００２９】
（項目２）
上記モバイルノード（１２）は送信部を備え、上記インデクサ（６４）は、上記第１のサービスセンター（４４）のうちの上記選択されたサービスセンターへの上記呼の発信に従って、上記第２の値のうちの対応する値の指示を該送信部に提供するようにさらに構成されている、項目１に記載の装置（５８）。
【００３０】
（項目３）
上記第２の記憶素子（８２）は、上記第２の値の更新を可能にするよう構成されている更新可能な記憶素子を含む、項目１に記載の装置（５８）。
【００３１】
（項目４）
上記少なくとも第１のサービスセンターは第１のネットワーク部分（１８）と少なくとも第２のネットワーク部分（２２）とを含んでいる通信ネットワークに接続されており、該第１のネットワーク部分（１８）は、上記第２の値の第１のセットを用いるように構成されており、該第２のネットワーク部分（２２）は、該第２の値の第２のセットを用いるように構成されており、上記モバイルノード（１２）が該第１のネットワーク部分（１８）と関連する場合、上記第２のＩＤモジュールカード記憶素子（８２）において格納されている該第２の値は、該第１のセットから形成され、該モバイルノード（１２）が該第２のネットワーク部分（２２）と関連する場合、該第２のＩＤモジュールカード記憶素子（８２）において格納されている該第２の値は、該第２のセットから形成される、項目３に記載の装置（５８）。
【００３２】
（項目５）
上記第１のネットワーク部分（１８）は、第１のカバーエリアを規定し、上記少なくとも第２のネットワーク部分（２２）は、少なくとも第２のカバーエリアを規定し、上記モバイルノード（１２）は、該モバイルノード（１２）が配置されているのが該第１のカバーエリアと該少なくとも第２のカバーエリアとのうちののいずれかであるかに対応して、該第１のネットワーク部分（１８）と該少なくとも第２のネットワーク部分（２２）とのうちの選択されたネットワーク部分に登録し、該第２の記憶素子（８２）において格納された該第２の値は、該モバイルノード（１２）の登録に従って提供される、項目４に記載の装置（５８）。
【００３３】
（項目６）
上記通信ネットワークは、ショートメッセージサービスメッセージングを提供するように構成されており、上記第２のＩＤモジュールカード記憶素子において格納された上記第２の値は、ショートメッセージサービスメッセージの一部として上記モバイルノードに提供される、項目５に記載の装置（５８）。
【００３４】
（項目７）
上記ショートメッセージサービスは、エンベロープコマンドメッセージを規定し、上記第２の値を上記第２のＩＤモジュールカード記憶素子に提供するために用いられる該ショートメッセージサービスメッセージは、エンベロープコマンドメッセージを含む、項目６に記載の装置（５８）。
【００３５】
（項目８）
上記第１のネットワーク部分（１８）は、上記モバイルノードが関連しているホームネットワークを規定し、上記第２のＩＤモジュールカード記憶素子において格納されている上記第２の値は、上記モバイルノード（１２）が上記第１のカバーエリア内に位置する場合において上記第１のＩＤモジュールカード記憶素子（７８）において格納されている上記第１の値と実質的に同一である、項目５に記載の装置（５８）。
【００３６】
（項目９）
上記モバイルノード（１２）は、上記第１のカバーエリアおよび上記少なくとも第２のカバーエリアのうちのいずれかの間を通過する場合において上記ネットワーク部分に登録し、上記第２の値のうちの新しい値は、該モバイルノード（１２）がネットワーク部分に登録する度に、上記第２のＩＤモジュールカード記憶素子（８２）において格納される、項目８に記載の装置（５８）。
【００３７】
（項目１０）
上記ＩＤモジュールカードは、少なくとも着脱可能なように係合可能なＲ−ＵＩＭメモリカードを備え、上記第１のＩＤモジュールカード記憶素子（７８）および上記第２のＩＤモジュールカード記憶素子（８２）は該メモリカードにおいて具体化されている、項目１に記載の装置（５８）。
【００３８】
（項目１１）
上記第１のＩＤモジュールカード記憶素子（７８）および上記第２のＩＤモジュールカード記憶素子（８２）が具体化されている上記ＩＤモジュールカードは、加入者ＩＤモジュールカードを含む、項目１に記載の装置（５８）。
【００３９】
（項目１２）
上記第１のＩＤモジュールカード記憶素子（７８）および上記第２のＩＤモジュールカード記憶素子（８２）が具体化されている上記ＩＤモジュールカードは、リムーバブルユーザＩＤモバイルカードを含む、項目１に記載の装置（５８）。
【００４０】
（項目１３）
上記インデクサ（６４）は、上記呼の発信の開始の指示を受信するようにさらに適合されており、該インデクサ（６４）は、該指示に応答して、上記第１の値のうちの選択された値を上記第２の値のうちの対応する値にインデックするように動作する、項目１に記載の装置（５８）。
【００４１】
（項目１４）
上記モバイルノード（１２）はユーザインターフェース（４８）を備え、ユーザは、該ユーザインターフェース（４８）を経由して上記呼の発信を開始し、上記インデクサ（６４）は該ユーザインターフェース（４８）に結合されている、項目１３に記載の装置（５８）。
【００４２】
（項目１５）
モバイルノード（１２）と通信する方法であって、該モバイルノード（１２）は、ＩＤモジュールカード（６６）を有しており、少なくとも第１のサービスセンターとの呼接続を形成するために呼を発信するように動作可能であり、該方法は、該少なくとも第１のサービスセンターのうちの選択されたサービスセンターへの該呼のルーティングを容易にし、該方法は、
少なくとも該第１のサービスセンターを識別する第１の値を該ＩＤモジュールカード（６６）において格納することとであって、該第１の値のうちの選択された値は、該少なくとも第１のサービスセンターのうちの該選択されたサービスセンターへの呼の発信を開始する場合において入力される、ことと、
該少なくとも第１のサービスセンターを識別する第２の値を該ＩＤモジュールカード（６６）において格納することであって、該第２の値は、該モバイルノード（１２）が現在登録されている通信ネットワークのネットワーク部分（１８、２２）において用いられる、ことと、
該呼の発信を開始するために用いられる場合、該第１の値のうちの該選択された値を、該第２の値のうちの対応する値にインデックスすることと
を包含する、方法。
【００４３】
（項目１６）
上記モバイルノード（１２）は送信部をさらに備え、上記方法は、上記インデックスする動作間において上記第１の値のうちの選択された値と共にインデックスされる、上記第２の値のうちの対応する値を、該送信部に提供する動作をさらに包含し、該値は、該送信部から送信される、項目１５に記載の方法。
【００４４】
（項目１７）
上記第２の値を格納する動作間に格納された第２の値は、無線通信システムのネットワーク部分への上記モバイルノード（１２）の登録の間において該モバイルノードに提供される、項目１５に記載の方法。
【００４５】
（項目１８）
上記通信ネットワークは、エンベロープコマンドメッセージを規定するショートメッセージサービスメッセージングを提供し、上記方法は、上記第２の値を格納する上記動作に先立ち、上記モバイルノード（１２）にエンベロープコマンドメッセージを送信する動作をさらに包含し、該第２の値は、該エンベロープコマンドメッセージに含まれている、項目１５に記載の方法。
【００４６】
（項目１９）
上記モバイルノード（１２）は、受信部と、上記第２の値が上記格納する動作間に格納される記憶素子とを備え、上記方法は、
該受信部において上記エンベロープコマンドメッセージを検出する動作と、
該エンベロープコマンドメッセージを該記憶素子（６６）に転送する動作と
をさらに包含する、項目１８に記載の方法。
【００４７】
（項目２０）
上記記憶素子における上記エンベロープコマンドメッセージに含まれる上記第２の値の格納を承認する動作をさらに包含する、項目１９に記載の方法。
【発明の効果】
【００４８】
本発明により、短縮ダイヤルコードによって識別されるサービスセンターへの移動局からの呼を提供するより良い方法が提供され得る。また、本発明により、移動局のユーザによって短縮ダイヤル番号の入力を介してアクセスされるサービスセンターが、その呼がサービスセンターになされる場合に、移動局の位置に関係なくアクセス可能であるように、移動局の移動性を考慮した方法が提供され得る。
【発明を実施するための最良の形態】
【００４９】
まず、図１を参照すると、通常、参照番号１０にて示されるモバイル通信システムは、少なくともその通信システムによって含まれるエリア全体に亘って移動が可能であるモバイルノードを用いた通信を提供する。代表的なモバイルノード１２は図に示されている。例示的なインプリメンテーションにおいて、通信システムは、複数のモバイルノードを用いて複数の同時通信セッションを可能にするマルチユーザシステムを形成する。追加のモバイルノードもまた図に示され得、モバイルノード１２の表示と類似しており、他の通信セッションを実施する他のモバイルノードを表す。
【００５０】
図に示される例示的なインプリメンテーションにおいて、通信システム１０は、一般に、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）の動作仕様において示される動作パラメータおよびプロトコルに従い動作するセル式通信システムを形成する。他のインプリメンテーションにおいて、通信システムは、前述のようなＩＳ−９５システムまたはＵＭＴＳシステムなどの他の動作仕様に従って動作可能なセル式通信システムを代表する。より一般的には、通信システムは、電話通信を提供する様々な無線通信の任意のタイプを代表する。従って、本発明の実施形態の例示的な動作は、概して、ＧＳＭの動作仕様の変形に適合して動作可能であるセル式通信システムにおけるインプリメンテーションに関して記載されるが、他のインプリメンテーションにおいては、本発明の実施形態は、様々な他の無線通信システムのうちの任意のシステムにおいて類似的に動作可能である。
【００５１】
通信システムは、モバイルノード１２が通信する固定ネットワーク部分を含む。通信は、ネットワーク部分とモバイルノードとの間に延びる無線リンクにおいて規定される無線チャネルを経由し、ネットワーク部分とモバイルノードとの間において実施される。モバイルノードへの、ネットワーク部分によって通信されたデータは、無線ダウンリンクにおいて規定されたダウンリンクチャネルにおいて通信される。また、ネットワーク部分への、モバイルノードによって通信されたデータは、無線アップリンクにおいて規定されたアップリンクチャネルにおいて通信される。ここで、ダウンリンクは、ネットワーク部分とモバイルノードとの間に延びる矢印１４によって表される。また、アップリンクは、ネットワーク部分とモバイルノードとの間に延びる矢印１６によって表される。制御データおよびトラフィックデータは、ダウンリンクおよびアップリンクにおいて規定される様々なチャネルにおいて通信される。
【００５２】
通信システムのネットワーク部分はここで、二つのＧＳＭネットワークである、第１のＧＳＭネットワーク１８および第２のＧＳＭネットワーク２２を含むように示されている。ネットワーク１８および２２は、シグナルネットワーク（ここでは、ＳＳ７シグナルネットワーク２４）を経由して、従来の方法において、共に接続される。他のインプリメンテーションにおいて、他のシグナルネットワークがネットワーク１８および２２を相互接続する。例えば、一つの他のインプリメンテーションにおいて、Ｘ．２５ネットワークはＧＳＭネットワーク１８および２２を相互接続する。
【００５３】
ＧＳＭネットワーク１８および２２はそれぞれ、ＧＳＭ動作仕様の変形に従って動作可能である。ネットワークのそれぞれは、移動局１２が別々のネットワークによって含まれるカバーエリア内に位置する場合、移動局１２と電話通信することを可能にする無線ネットワーク構成要素の形態を取る。例えば、それぞれのネットワークは、ネットワークに結合される基地トランシーバ局（ＢＴＳ）２６および基地局制御器（ＢＳＣ）２８を含む。基地トランシーバ局は無線トランシーバ回路網を含み、移動局１２などのような移動局を用いてダウンリンクおよびアップリンクチャネルと通信されたデータを送受信する。次に、基地局制御器は、モバイル交換センター／ビジターロケーションレジスタ（ＭＳＣ／ＶＬＲ）３２に結合される。ホームロケーションレジスタ（ＨＬＲ）３４もまた、ＧＳＭネットワークのそれぞれの部分を形成するように示され、関連するモバイル交換センター／ビジターロケーションレジスタと機能的に結合される。
【００５４】
ネットワーク１８および２２のそれぞれはまた、ショートメッセージサービス（ＳＭＳ）センター（ＳＭＳ−Ｃ）３８を含む。ショートメッセージサービスセンターは各々、ＳＭＳメッセージを形成するように動作可能であり、移動局１２などの移動局にＳＭＳメッセージを選択可能なように送信するように動作可能である。ＳＭＳセンターが、ショートメッセージサービスセンターが関連するモバイルノードの登録に従って選択されたＳＭＳメッセージを送信することは、本発明の一実施形態において特に重要である。
【００５５】
ネットワーク１８および２２を相互接続するＳＳ７ネットワーク２４、または他の類似するネットワークは、シグナルを提供するシグナルネットワークおよびネットワーク間の他の接続を形成する。シグナルネットワークは、ここでは、シグナル転送ポイント（ＳＴＰ）を形成する交換ノードを含んでいるように示される。ＧＳＭネットワーク１８および２２以外の他のタイプのネットワークもまた、ＳＳ７ネットワーク２４と接続可能である。例えば、公衆電話交換ネットワークまたは総合デジタル通信網（ＩＳＤＮ）もまた、それぞれ、ＳＳ７ネットワークと接続可能である。
【００５６】
例示的なサービスセンター（ここではサービスセンター４４）は、ＳＳ７ネットワークと機能的に結合される。サービスセンター４４は、例えば、公衆電話交換ネットワークまたは総合デジタル通信網を経由して、ＳＳ７ネットワークに接続される。あるいは、サービスセンターは、別の位置における通信システムのネットワーク部分と、別の接続を経由して、接続可能である。サービスセンター４４は、番号のコード化されたシーケンスによって識別される任意の呼位置を表す。より具体的には、ここでは、例示的なサービスセンターは、第１のネットワーク１８における第１の短縮コードによって、および、第２のネットワーク２２における第２のコードによって識別される呼位置を表す。
【００５７】
サービスセンター４４は、例えば、緊急派遣センターを表す。以前に留意したように、緊急派遣センターは、異なるエリアにおいて、異なる短縮ダイヤルコードによって識別される。例えば、一つのエリアにおいて、センターは、短縮ダイヤルコード９−１−１によって識別される。また、別のエリアにおいては、サービスセンターは短縮ダイヤルコード９−９−９によって識別される。あるいは、サービスセンター４４は、例えば、ディレクトリサービスセンターを表す。一部のエリアにおいて、ディレクトリサービスセンターは、例えば４−１−１などの第１の短縮ダイヤルコードによって識別される。他のエリアにおいては、ディレクトリサービスセンターは、第２の短縮ダイヤルコード、例えば１−９−２によって識別される。また、そのサービスは、交替に、「０」のダイヤルコードによって、他のエリアでは、１−０−０のダイヤルコードによって識別されるオペレータ支援センターを表す。様々な他のサービスセンターもまた、例示的なサービスセンター４４によって表され、適切な短縮ダイヤルコードの入力を通じて電話によってアクセス可能である。
【００５８】
呼が、発信呼局（例えば、モバイルノード１２）において発信される場合、呼接続は、呼設定手順を通じ、サービスセンターを用いて形成される。
【００５９】
従来の方法において、モバイルノードは、ユーザインターフェースを含み、ユーザインターフェースは、典型的には、サービスセンターへの呼など、電話を開始するためにユーザによって作動可能な電話式のキーパッドを含む。図において、モバイルノードはユーザインターフェース４８を含むように示され、ユーザ入力アクチュエータ５０およびユーザディスプレイ５２の形態をとる。
【００６０】
モバイルノードのユーザが選択されたサービスセンターに呼を開始する場合、ユーザは、電話式のキーパッドの作動キーを作動させ、呼局を用いて形成された呼接続に従い、電話によって通信することを意図するモバイルノードのユーザに関連するダイヤルコードを入力する。より具体的には、ここでは、ユーザがサービスセンター４４に呼をしようとする場合、そのユーザは、サービスセンターに関連する短縮ダイヤルコードを入力する。なぜならば、サービスセンターに関連する短縮ダイヤルコードは、そのモバイルノードが登録されているネットワークに依存して異なり得るからであり、そこで呼接続が形成されることが可能となるための、サービスセンターへの呼の適切なルーティングは、その呼が用いられることを要求する場合にモバイルノードが通信するネットワークにおいて用いられるダイヤル番号を必要とする。
【００６１】
本発明の一実施形態の動作は、呼接続がサービスセンターを用いて形成されることを必要とする場合に、正確な短縮ダイヤルコードが用いられることをより良く保証する方法を提供する。また、本発明の一実施形態に従い、モバイルノードは、本発明の一実施形態の装置５８を含む。
【００６２】
モバイルノードがまずオンにされ、ネットワーク１８または２２などのネットワークのカバーエリアを入力する場合、追加的な選択された間隔において、モバイルノードは、通信システムのネットワーク部分を登録する。様々な従来の手順は、例えば、通信システムのネットワーク部分を経由して通信するために、モバイルノードの認証を含む、モバイルノードの登録に従って、通信システムによって実行される。さらに、本発明の一実施形態に従い、登録手順の間、モバイルノードが登録しているネットワークのＳＭＳサービスセンターは、ＳＭＳメッセージを生成し、モバイルノートと通信させる。ＳＭＳメッセージは、選択されたサービスセンターを識別するために、ネットワークにおいて用いられる短縮ダイヤルコードを識別する値を含む。それによって、モバイルノードは、モバイルノードが登録済みとなっているネットワークにおいて用いられる短縮ダイヤルコードを提供される。ＳＭＳメッセージに含まれる情報は、その後、呼が選択されたサービスセンターになされる場合に、モバイルノードによって利用される。
【００６３】
モバイルノードにおいて具体化される装置５８の構成要素は、機能的に表される。また、機能的構成要素によって実行される機能は、例えば、処理回路網によって実行可能なアルゴリズムによってなど、任意の所望の方法において実行される。
【００６４】
装置５８はここで、モバイルノードの受信回路網に結合されるか、またはその一部を形成する、ＳＭＳメッセージ検出器６２を含んでいるように示されている。ＳＭＳメッセージ検出器は、モバイルノードに送信されるＳＭＳメッセージを検出するように動作する。
【００６５】
その検出器によってなされた検出結果はインデクサ６４に提供される。インデクサ６４はまたその装置５８の一部を形成する。インデクサは、記憶素子６６を含むか、またはそれに結合される。
【００６６】
インデクサ６４は、サービスセンターを用いて、登録手順の間に送信され、モバイルノードまたはそのユーザによって関連付けられ恒常的に格納されている識別コードの値とともに、検出器６２によって検出される、ＳＭＳメッセージの一部としてモバイルノードにダウンロードされる識別コードの値をインデックスするように動作する。恒常的に格納されている値は、例えば、モバイルノードが通常登録されているホームネットワークのそれである。恒常的に格納されている値をダウンロードされた値にインデックスすることによって、別々の値の間に関連が形成され、後に呼が選択されたサービスセンターになされた場合、その値の照合および適切な値の使用を可能にする。
【００６７】
共にインデックスされた値は、記憶素子６６において格納される。例示的なインプリメンテーションにおいて、記憶素子はＳＩＭカードにおいて具体化される。Ｒ−ＵＩＭデバイスを利用するＩＳ−９５システムにおいて、記憶素子はそこで具体化される。モバイルノードにおいて、呼が後に選択されたサービスセンターになされる場合に、その値は後のデータ引出しに利用可能である。例示的なインプリメンテーションにおいては、次の登録まで、およびＳＭＳメッセージの次のダウンロードがその値を変更するまで、その値は引き続きそこに格納されたままである。それによって、モバイルノードが登録されるネットワークにおいて用いられる短縮ダイヤル番号の値は、登録され、必要であれば、更新され、ネットワークにおいて用いられるダイヤルコードが、モバイルノードにおいて常に利用可能であることを保証する。
【００６８】
装置５８はさらに、インデクサおよびユーザインターフェース４８のユーザ入力アクチュエータ５０の両方に結合されるトランスポーザ７２を含む。呼が、モバイルノードのユーザによって、サービスセンターになされる場合、トランスポーザは呼位置を知るようになされる。すなわち、ユーザがサービスセンターに関連付ける短縮されたダイヤルコードをユーザが入力する場合、そのユーザによって入力された値は、トランスポーザに提供される。また、入力されたコードに応じて、トランスポーザは、その値が異なる場合、記憶素子５６において格納された値と入力された値とを置き換えるように動作する。その置き換えられた値は、次いで、モバイルノードの送信部に提供され、通常の呼手順は、サービスセンターへ呼を提供するために用いられる。別の方法においては選択されたサービスセンターになされてはいかなったであろう呼接続が、装置５８の動作を通じて、形成される。また、サービスは、次いで、サービスセンターによって提供され得る。
【００６９】
モバイルノードが登録されているネットワークによって含まれるエリアにおいて、呼接続を形成するために必要なダイヤルコードに、入力された短縮ダイヤルコードを置き換えることは、自動的に実行され、ユーザがダイヤルコードを置き換えることを知る必要はない。
【００７０】
図２は、概して、参照番号７６にて示され、記憶素子６６において格納されるダイヤルコードを表す図を示す。コードの第１のセットは、モバイルノードに関連するホームネットワークにおいて用いられる常置のサービスセンターコードとして、列７８において指定される。また、列８２において示されるコードの第２のセットは、モバイルノードが登録され、登録手順に従ってモバイルノードへダウンロードされるネットワークにおいて用いられ、記憶素子において格納され、必要に応じて、ダイナミックに更新される。コードのそれぞれは、目的によって識別され、ここでは、その目的は、列８４における項目によって表される。
【００７１】
モバイルノードがＧＳＭモバイル端末を形成する例示的なインプリメンテーションにおいて、記憶素子６６は、モバイルノードのＳＩＭカードにおいて具体化される。代替的なインプリメンテーションにおいては、モバイルノードに伝送されるＳＭＳメッセージは、モバイルノードがローミングし得る全てのネットワークのデータベースを形成するために用いられる。このインプリメンテーションにおいて、ＳＭＳメッセージは、新しいネットワークにおけるモバイルノードの各登録を用いて、モバイルノードへと伝送される必要はない。そのようなインプリメンテーションにおいては、追加的な記憶装置能力が、情報リストの格納のために、ＳＩＭにおいて必要とされる。
【００７２】
図３は、本発明の一実施形態の動作に従って、図１に示された通信システム１０の動作の表す、通常、参照番号９２で示されるメッセージシーケンス図を示す。再び、通信システムがＧＳＭシステムを形成するインプリメンテーションに関連する動作が記載される。類似する動作は、別の動作基準に従って動作可能であるシステムに関して、記載され得る。
【００７３】
移動局はネットワーク（ここではネットワーク１８）への登録を開始し、セグメント９４によって示されるように、登録手順が実行される。また、セグメント９６によって示されるように、モバイル発信されたＵＳＳＤは、モバイルノードによって生成され、ワイヤレスネットワークへ送信される。ワイヤレスネットワークは、次に、セグメント９８によって示される、オペレータ特定の短縮コードに対する要求を転送し、オペレータ特定の短縮コードはＵＳＳＤサービスセンターに伝送される。セグメント１０２によって示されるように、コードは引き出され、ＳＭＳセンターに戻される。セグメント１０４によって示されるように、ＳＭＳセンターは、次に、ＳＭＳメッセージを生成し、ＳＭＳメッセージはサービスセンターのオペレータ特定の短縮コードを含む。セグメント１０６によって示されるように、ＳＭＳメッセージは、無線ダウンリンクチャネルを介して、送信され、モバイルノードへ伝送される。例示的なインプリメンテーションにおいて、ＳＭＳメッセージは、モバイルノードの受信回路網によって、記憶装置（ここではＳＩＭカード）へパスされる、エンベロープメッセージである。カプセル化されたメッセージの転送は、セグメント１０８によって示される。情報がＳＩＭカードに格納される場合、セグメント１１２に示されるように、端末応答が提供される。モバイルノードは、ＳＩＭカードのコンテンツにアクセスすることが可能であり、ここでは、セグメント１１４によって示されている。
【００７４】
メッセージシーケンス図はまた、セグメント１１６によって示されるように、モバイルノードによって送信されたモバイル端末応答をワイヤレスネットワーク１８に戻すことを示し、セグメント１１８に示されるように、ＳＭＳセンターへ、および、セグメント１２２に示されるように、ＵＳＳＤサーバにパスされる認証メッセージを示す。要求オペレータ特定の短縮コードの承認は、次いで、セグメント１２４に示されるように、ワイヤレスネットワークへ、次に、セグメント１２６に示されるように、モバイル装置へと戻される。
【００７５】
図４は、一般に、参照番号１３２にて示される、別のメッセージシーケンス図を示す。メッセージシーケンス図１３２は、本発明の一実施形態に従った通信システムのさらなる動作を表す。第１に、および、セグメント１３４によって示されるように、モバイルノードはワイヤレスネットワーク（ここでは再びワイヤレスネットワーク１８）に登録し、従来の登録手順が実行される。次いで、セグメント１３６に示されるように、初期ＤＰはワイヤレスネットワークによって通信サーバに転送される。セグメント１３８によって示されるように、コマンドは、コードを移動局に送信するために、ＳＭＳサービスセンターに戻される。また、セグメント１４０に示されるように、ダウンロードオペレータ特定の短縮コードメッセージがワイヤレスネットワークに提供され、短縮メッセージサービスメッセージは、セグメント１４２に示されるように、モバイルノードに送信される。カプセル化されたＳＭＳメッセージは、セグメント１４４に示されるように、モバイルノードによって、ＳＩＭカードに転送される。セグメント１４６に示されるように、端末応答が提供される。その後、セグメント１４８に示されるように、応答取得（ｇｅｔ  ｒｅｓｐｏｎｓｅ）手順が実行される。セグメント１５２に示されるように、モバイル端末応答が形成され、ワイヤレスネットワークに送信される。セグメント１５４および１５６に示されるように、メッセージはｃ−サーバに転送される。セグメント１５８に示されるように、その後のファイル変更通知メッセージは、ＳＩＭカードによって、モバイルノード構造に選択可能なように提供される。
【００７６】
前述は本発明をインプリメントする好適な例であり、本発明の範囲は、本記載によって不必要に限定されるべきではない。本発明の範囲は添付の請求の範囲によって規定される。
【００７７】
モバイルノードから選択されたサービスセンターとの呼接続を容易にするための装置および関連方法が提供される。モバイルノードに、そのモバイルノードが、例えば登録手順などに従い、送信されるＳＭＳメッセージによって登録されるネットワークにおいて用いられる短縮ダイヤルコードが提供される。モバイルノードにダウンロードされた短縮ダイヤルコードの値は、例えばＳＩＭカードなどの記憶装置場所において格納され、そのモバイルノードのホームネットワークにおいて用いられるコードなどの、モバイルノードのユーザによって通常用いられる対応コードと共にインデックスされる。ユーザがサービスセンターに呼をする場合、格納された値が引き出され、必要であれば、置き換えられ、選択されたサービスセンターへの呼が首尾良く完了されることをさらに保証する。
【００７８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００７９】
【図１】本発明の一実施形態が動作可能である無線通信システムの機能ブロック図を示す。
【図２】本発明の一実施形態の動作に従って保存されたダイヤルコード、および、本発明の一実施形態の動作に従ったそれらのインデックスの表示を示す。
【図３】本発明の一実施形態の動作間に生成される信号を表示するメッセージシーケンス図を示す。
【図４】モバイルノードに、そのモバイルノードが位置するエリアにおいて用いられる短縮ダイヤルコードの指示を提供する、本発明の一実施形態の動作間に生成される例示的なメッセージを示す。
【符号の説明】
【００８０】
１０  通信システム
１２  モバイルノード
２２  ネットワーク
２４  ＳＳ７ネットワーク
４４  サービスセンター
４８  ユーザインターフェース
５８  装置
【図１】
0004443554.tif 000002
【図２】
0004443554.tif 000003
【図３】
0004443554.tif 000004
【図４】
0004443554.tif 000005